(57)【要約】【課題】音声回線をバックアップする技術において、オペレータの負担を軽減しつつ、切替時の無音や音声急変などの不都合を確実容易に回避する。【解決手段】設定反映手段３１が、パラメータ設定スイッチ群１３での操作に応じたパラメータ設定を、主チャネル（例えばＣＨ１−Ａ）並びに予備チャネル（例えばＣＨ１−Ｂ）の双方に同期的に反映させる（設定反映処理）。万が一の切り替え操作は、［ＬＩＶＥ］ボタンなどのチャネル切替スイッチ１５により、例えばＣＨ１−Ａの状態で「Ｂ」を押すなど、所定の切替操作で行う。その操作に応じ、切替手段３３が、主チャネルＣＨ１−Ａと、予備チャネルＣＨ１−Ｂとの間で、切替を行う（切替処理）。【選択図】図１
2008244755.tif 000002
【特許請求の範囲】
【請求項１】
それぞれ音声処理のパラメータが設定される第一の音声処理チャネル並びに第二の音声処理チャネルを有し、前記第一の音声処理チャネルを、前記第二の音声処理チャネルでバックアップする音声回線バックアップ装置において、
チャネル切替スイッチと、
前記チャネル切替スイッチでの操作に応じて、前記第一の音声処理チャネルと、前記第二の音声処理チャネルとの間で、切替を行う切替手段と、
パラメータ設定スイッチ群と、
前記パラメータ設定スイッチ群での操作に応じたパラメータ設定を、前記第一並びに第二の音声処理チャネルの双方に同期的に反映させる設定反映手段と、
を有することを特徴とする音声回線バックアップ装置。
【請求項２】
前記切替手段は、
前記チャネル切替スイッチが操作されたときに、前記第一及び第二音声処理チャネルについて、新たに切替選択する側への音声入力をＯＮするとともに、他方への音声入力をＯＦＦする、ＭＴＸ制御手段を有する
ことを特徴とする請求項１記載の音声回線バックアップ装置。
【請求項３】
インサーション系統回路を有し、
前記切替手段は、前記音声入力をＯＮする前記第一又は第二の音声処理チャネルについて、前記インサーション系統回路を接続するように構成されたことを特徴とする請求項１又は２記載の音声回線バックアップ装置。
【請求項４】
主マイクと、
バックアップマイクと、
チャネルの切替について第一のモードと第二のモードの選択を受け付けるモード選択受付手段と、
を有し、
前記切替手段は、
前記第一のモードでは、いずれの前記音声処理チャネルにも前記主マイクを用い、
前記第二のモードでは、前記第一の音声処理チャネルには前記主マイクを用い、前記第二の音声処理チャネルには前記バックアップマイクを用いる
ことを特徴とする請求項１から３のいずれか一項に記載の音声回線バックアップ装置。
【請求項５】
チャネル切替スイッチと、
パラメータ設定スイッチ群と、
それぞれ音声処理のパラメータが設定される第一の音声処理チャネル並びに第二の音声処理チャネルと、
を有し、前記第一の音声処理チャネルを、前記第二の音声処理チャネルでバックアップする音声回線バックアップ装置を用いる音声回線バックアップ方法において、
コンピュータ又は電子回路により、切替手段と、設定反映手段と、を実現し、
前記切替手段により、前記チャネル切替スイッチでの操作に応じて、前記第一の音声処理チャネルと、前記第二の音声処理チャネルとの間で、切替を行う切替処理と、
前記設定反映手段により、前記パラメータ設定スイッチ群での操作に応じたパラメータ設定を、前記第一並びに第二の音声処理チャネルの双方に同期的に反映させる設定反映処理と、
を含むことを特徴とする音声回線バックアップ方法。
【請求項６】
前記切替手段は、ＭＴＸ制御手段を有し、
前記ＭＴＸ制御手段により、前記チャネル切替スイッチが操作されたときに、前記第一及び第二音声処理チャネルについて、新たに切替選択する側への音声入力をＯＮするとともに、他方への音声入力をＯＦＦする、ＭＴＸ制御処理を実行する
ことを特徴とする請求項５記載の音声回線バックアップ方法。
【請求項７】
前記音声回線バックアップ装置は、インサーション系統回路を有し、
前記切替手段により、前記音声入力をＯＮする前記第一又は第二の音声処理チャネルについて、前記インサーション系統回路を接続することを特徴とする請求項５又は６記載の音声回線バックアップ方法。
【請求項８】
前記音声回線バックアップ装置は、
主マイクと、
バックアップマイクと、
モード選択受付手段と、
を有し、
前記モード選択受付手段により、チャネルの切替について第一のモードと第二のモードの選択を受け付けるモード選択受付処理を実行し、
前記切替手段は前記切替処理において、
前記第一のモードでは、いずれの前記音声処理チャネルにも前記主マイクを用い、
前記第二のモードでは、前記第一の音声処理チャネルには前記主マイクを用い、前記第二の音声処理チャネルには前記バックアップマイクを用いる
ことを特徴とする請求項５から７のいずれか一項に記載の音声回線バックアップ方法。
【発明の詳細な説明】
【技術分野】
【０００１】
本発明は、放送等における音声回線バックアップの技術を改良したものである。
【背景技術】
【０００２】
従来から、放送用等に用いられている、いわゆるオーディオミキシングコンソールは、マイク、中継回線、ＢＧＭ等の複数の音声回線を音声処理チャネル（チャネルは「ＣＨ」とも表す）へ入力して、各ＣＨ毎の音声調整を行う装置である（例えば、特許文献１参照）。
【０００３】
このようなオーディオミキシングコンソールにおいて、万が一にも音声回線が切断し無音となる事態が発生すると、生放送中であれば放送事故に繋がるおそれが生じ、また、収録中でも復旧のために多大な時間を要するなどの不都合が生じる。
【０００４】
このような事態を未然に防ぐため、オペレータは様々な工夫をしており、その典型例は、重要な入力音声回線については、入力段の回路選択回路マトリックス（ＭＴＸ）で分岐して複数の音声処理ＣＨへ立ち上げることにより、本線系に加えてバックアップのＣＨを作り、万が一の場合にはバックアップＣＨへ乗り換えて操作することにより、非常事態に備えるものである。このように用いるオーディオミキシングコンソールは、音声回線バックアップ装置ということができる。
【特許文献１】特開平１０−１４５１５９
【発明の開示】
【発明が解決しようとする課題】
【０００５】
しかし、上記のような従来技術では、バックアップＣＨと本線系ＣＨとの間でパラメータ設定などの調整状態が違っていた場合、乗り換え時に音声の音質などが突然変わってしまうおそれがあり、さらに、重要な設定が違っていれば最悪の場合は音声が出力されない等のトラブルが発生する可能性が否定できないという問題があった。
【０００６】
この様なトラブルを防止するために、従来では、オペレーターが、常時２つのＣＨの音声調整設定を同一に保つ様に操作を行っていた。図８は、従来のオーディオミキシングコンソールの一例を示す概念図で、この例では、各ＣＨごとに本線系の主ＣＨ（例えばＣＨ１Ａ）とバックアップＣＨ（例えばＣＨ１Ｂ）それぞれのパラメータ設定スイッチ群が、相互に別個独立の操作パネルとして合計４つ存在している。
【０００７】
このような従来技術では、例えば、マイクを使って人の音声を入力している場合等は、喋り方に合わせた調整を常に行わなければならず、２つのＣＨで音声調整設定を同一に保つ事は非常に重い負担となっていた。
【０００８】
また、万が一の場合においてバックアップへ乗り移る操作の際は、フェーダー（ＣＨの主レベル調整）による切り替えが可能であるが、ＣＨからの音声出力はフェーダーの手前から出力している系統もあり、そのような系統に対しては、別の出力ＯＮ／ＯＦＦスイッチによる操作も必要であるなど、系統が複数ある場合は瞬時に切り替える事は困難であった。
【０００９】
さらに、エフェクタで音響効果を得る、いわゆるインサーション機能を使っている場合は、その繋ぎ替え等のために、さらに複雑なＭＴＸ回線切り替え操作も必要であったが、このような瞬時切り替えは難しく、熟練を要するなど、この点も課題として解決が求められていた。
【００１０】
本発明は、上記のような従来技術の課題を解決するもので、その目的は、音声回線をバックアップする技術において、オペレータの負担を軽減しつつ、切替時の無音や音声急変などの不都合を確実容易に回避することである。
【課題を解決するための手段】
【００１１】
上記の目的をふまえ、請求項１の発明は、それぞれ音声処理のパラメータが設定される第一の音声処理チャネル並びに第二の音声処理チャネルを有し、前記第一の音声処理チャネルを、前記第二の音声処理チャネルでバックアップする音声回線バックアップ装置において、チャネル切替スイッチと、前記チャネル切替スイッチでの操作に応じて、前記第一の音声処理チャネルと、前記第二の音声処理チャネルとの間で、切替を行う切替手段と、パラメータ設定スイッチ群と、前記パラメータ設定スイッチ群での操作に応じたパラメータ設定を、前記第一並びに第二の音声処理チャネルの双方に同期的に反映させる設定反映手段と、を有することを特徴とする。
【００１２】
請求項５の発明は、請求項１の発明を方法という見方から捉えたもので、チャネル切替スイッチと、パラメータ設定スイッチ群と、それぞれ音声処理のパラメータが設定される第一の音声処理チャネル並びに第二の音声処理チャネルと、を有し、前記第一の音声処理チャネルを、前記第二の音声処理チャネルでバックアップする音声回線バックアップ装置を用いる音声回線バックアップ方法において、コンピュータ又は電子回路により、切替手段と、設定反映手段と、を実現し、前記切替手段により、前記チャネル切替スイッチでの操作に応じて、前記第一の音声処理チャネルと、前記第二の音声処理チャネルとの間で、切替を行う切替処理と、前記設定反映手段により、前記パラメータ設定スイッチ群での操作に応じたパラメータ設定を、前記第一並びに第二の音声処理チャネルの双方に同期的に反映させる設定反映処理と、を含むことを特徴とする。
【００１３】
これらの態様では、バックアップ用チャネルとの間で切替選択だけでなく、パラメータ設定を双方のチャネルに対し予め常時反映させておくことにより、切替時の無音や音声急変などの不都合が回避でき、両チャネル間で手作業で設定調整を合わせるなどのオペレータの作業負担も効果的に軽減可能となる。
【００１４】
請求項２の発明は、請求項１記載の音声回線バックアップ装置において、前記切替手段は、前記チャネル切替スイッチが操作されたときに、前記第一及び第二音声処理チャネルについて、新たに切替選択する側への音声入力をＯＮするとともに、他方への音声入力をＯＦＦする、ＭＴＸ制御手段を有することを特徴とする。
【００１５】
請求項６の発明は、請求項２の発明を方法という見方から捉えたもので、請求項５記載の音声回線バックアップ方法において、前記切替手段は、ＭＴＸ制御手段を有し、前記ＭＴＸ制御手段により、前記チャネル切替スイッチが操作されたときに、前記第一及び第二音声処理チャネルについて、新たに切替選択する側への音声入力をＯＮするとともに、他方への音声入力をＯＦＦする、ＭＴＸ制御処理を実行することを特徴とする。
【００１６】
これらの態様では、ワンボタン操作など一つのチャネル切替スイッチ操作だけで、切替に関連する全ての系統に対する音声出力をＯＮ／ＯＦＦすることにより、熟練者でなくても瞬時切り替えのオペレーションが確実容易に実施可能となる。
【００１７】
請求項３の発明は、請求項１又は２記載の音声回線バックアップ装置において、インサーション系統回路を有し、前記切替手段は、前記音声入力をＯＮする前記第一又は第二の音声処理チャネルについて、前記インサーション系統回路を接続するように構成されたことを特徴とする。
【００１８】
請求項７の発明は、請求項３の発明を方法という見方から捉えたもので、請求項５又は６記載の音声回線バックアップ方法において、前記音声回線バックアップ装置は、インサーション系統回路を有し、前記切替手段により、前記音声入力をＯＮする前記第一又は第二の音声処理チャネルについて、前記インサーション系統回路を接続することを特徴とする。
【００１９】
これらの態様では、チャネルとともにインサーション系統も切り替えることにより、インサーションのために別途の切替え操作も不要となり、複雑な切替操作の誤りによる音質急変などの不都合も回避し、瞬時に正確な切り替えオペレーションが行える様になる。
【００２０】
請求項４の発明は、請求項１から３のいずれか一項に記載の音声回線バックアップ装置において、主マイクと、バックアップマイクと、チャネルの切替について第一のモードと第二のモードの選択を受け付けるモード選択受付手段と、を有し、前記切替手段は、前記第一のモードでは、いずれの前記音声処理チャネルにも前記主マイクを用い、前記第二のモードでは、前記第一の音声処理チャネルには前記主マイクを用い、前記第二の音声処理チャネルには前記バックアップマイクを用いることを特徴とする。
【００２１】
請求項８の発明は、請求項４の発明を方法という見方から捉えたもので、請求項５から７のいずれか一項に記載の音声回線バックアップ方法において、前記音声回線バックアップ装置は、主マイクと、バックアップマイクと、モード選択受付手段と、を有し、前記モード選択受付手段により、チャネルの切替について第一のモードと第二のモードの選択を受け付けるモード選択受付処理を実行し、前記切替手段は前記切替処理において、前記第一のモードでは、いずれの前記音声処理チャネルにも前記主マイクを用い、前記第二のモードでは、前記第一の音声処理チャネルには前記主マイクを用い、前記第二の音声処理チャネルには前記バックアップマイクを用いることを特徴とする。
【００２２】
これらの態様では、バックアップチャネルへの切替と共にマイクもバックアップに切り替えるか否かも選択可能とすることにより、構成や目的などの事情に適合した自由な運用が実現容易となる。
【発明の効果】
【００２３】
以上のように、本発明によれば、音声回線をバックアップする技術において、バックアップ用チャネルとの間で切替選択だけでなく、パラメータ設定を双方のチャネルに対し予め常時反映させておくことにより、切替時の無音や音声急変などの不都合が回避でき、両チャネル間で手作業で設定調整を合わせるなどのオペレータの作業負担も効果的に軽減可能となる。
【発明を実施するための最良の形態】
【００２４】
次に、本発明を実施するための最良の実施形態について、図に沿って説明する。なお、背景技術や課題と共通の前提事項については適宜省略する。
【００２５】
〔１．構成〕
本実施形態は、第一の音声処理チャネルを、第二の音声処理チャネルでバックアップする音声回線バックアップ装置（以下「本装置」と呼ぶ）に関するもので、この場合の各チャネルは、それぞれ音声処理のパラメータが設定される。便宜上、通常用いる第一の音声処理チャネルを主チャネル、バックアップ用の第二の音声処理チャネルを予備チャネルと呼ぶが、本装置のもっとも単純な構成は、主チャネル一つと予備チャネル一つであり、その構成を図１に示す。
【００２６】
この場合、本装置は、図１に示すように、操作パネル１と、制御部３と、オーディオミキサー音声処理部５と、を有する。このうち操作パネル１は、図２に例示するような構成で、パラメータ設定スイッチ群１３（例えば、パラメータ調整ツマミやスイッチなど）と、チャネル切替スイッチ１５（例えば［ＬＩＶＥ］ボタン「Ａ」「Ｂ」）と、モード選択スイッチ１７（例えば［ＭＯＤＥ］ボタン「１」「２」）と、を有する。
【００２７】
また、制御部３は（図１）、設定反映手段３１と、切替手段３３と、モード選択受付手段３５と、を有し、これら各手段は、図示はしないが、ＡＳＩＣやＦＰＧＡなどの電子回路で実現し、又は、図示しないコンピュータの演算制御部を所定のプログラムで制御することで実現するもので、後述のような機能作用を実現実行する処理手段である。
【００２８】
また、オーディオミキサー音声処理部５は、主チャネル（例えばＣＨ１−Ａ）と、予備チャネル（例えばＣＨ１−Ｂ）を有し、スタジオ内に設けた主マイク（ＭＩＣ１）と予備系統のバックアップマイク（ＢＫＵＰ）、さらにインサーション系統回路を構成する外付け等の効果装置であるエフェクタ７と接続される。
【００２９】
そして、各部の信号伝達経路を切り替えるために、回線選択用のマトリックス・スイッチ回路（「ＭＴＸ」と呼ぶ。図１ではＭＴＸ１，ＭＴＸ２，ＭＴＸ３）があり、切替手段３３は、これらＭＴＸ１〜３を制御するＭＴＸ制御手段３４を有する。
【００３０】
そして、図３の概念図に示すように、主チャネル一つと予備チャネル一つ（例えばＣＨ１−ＡとＣＨ１−Ｂ）をセットとし、このセットと同数の操作パネル１（１１，１２…）をコンソールなどのオーディオミキサー操作部に設ける。
【００３１】
〔２．作用〕
上記のように構成された本装置では、設定反映手段３１が、パラメータ設定スイッチ群１３での操作に応じたパラメータ設定を、主チャネル（例えばＣＨ１−Ａ）並びに予備チャネル（例えばＣＨ１−Ｂ）の双方に同期的に反映させる（設定反映処理）。
【００３２】
そして、万が一の切り替え操作はチャネル切替スイッチ１５すなわち［ＬＩＶＥ］ボタン（図２）により、例えばＣＨ１−Ａの状態で「Ｂ」を押すなど、所定の切替操作で行う。このような操作がされると、その操作に応じ、切替手段３３が、主チャネルＣＨ１−Ａと、予備チャネルＣＨ１−Ｂとの間で、切替を行う（切替処理）。
【００３３】
すなわち、図３の概念図に示したように、各チャネル（例えばＣＨ１）に２つの音声処理ＣＨ（ＣＨ１−Ａ及びＢ）を対応させ、この２つのＣＨ間のパラメータ（設定値）を予め常時リンク動作させ、２つの音声処理ＣＨ間で一方から他方へ切替操作を行っても、無音や音声急変を防止する。
【００３４】
また、チャネル切替スイッチ１５が操作されてチャネル間で切替を行う際、切替手段３３はＭＴＸ制御手段３４により、各チャネルＡ，Ｂについて、新たに切替選択する側への音声入力をＯＮするとともに、他方への音声入力をＯＦＦする（ＭＴＸ制御処理）。
【００３５】
さらに、このような［ＬＩＶＥ］ボタンによる切替の際、切替手段３３は、音声入力がそれまでＯＮだった主チャネルＣＨ１−Ａ又は予備チャネルＣＨ１−Ｂの一方から、新たに音声入力をＯＮする他方へ、エフェクタ７を含むインサーション系統回路についても新たに接続のやり直し（スワップ）を行う。
【００３６】
また、バックアップマイクを主マイクの近くへ設置することにより、マイク機器をバックアップする態様も一般的であり、上記のようなチャネルの切替の際、マイクも予備系統に切り替えるかどうかが設定可能である。
【００３７】
この場合、モード選択受付手段３５が（図１）、モード選択スイッチ１７すなわち［ＭＯＤＥ］ボタンで（図２）、チャネルの切替について第一のモード（ＭＯＤＥ１）と第二のモード（ＭＯＤＥ２）の選択を受け付け（モード選択受付処理）、ＭＯＤＥ１は通常の音声処理チャネルのみのバックアップであり、ＭＯＤＥ２は音声処理チャネルに加えマイクも予備系統でバックアップである。
【００３８】
すなわち、切替手段３３は、ＭＯＤＥ１では、主チャネルＣＨ１−Ａ及び予備チャネルＣＨ１−Ｂのいずれについても主マイクＭＩＣ１を用いる。一方、ＭＯＤＥ２では、主チャネルＣＨ１−Ａでは主マイクＭＩＣ１を用いるが、予備チャネルＣＨ１−ＢにはバックアップマイクＢＫＵＰを用いる。
【００３９】
〔３．処理手順の例〕
以上のようなＭＴＸ制御処理の手順を図４のフローチャートと、図５〜図７に例示する。図４の手順では、まず、ＬＩＶＥスイッチがＡなら（ステップＳ１）主チャネル使用の場合で、この場合の音声信号の流れを図５に示す。すなわち、この場合、スタジオのマイク（図左端）から放送出力（図右端）への音声信号の概略的な流れは、図５に示す太い破線矢印Ｄ５のようになり、また、エフェクタ７を含むインサーション系統回路の経由は、太い破線矢印Ｅ５のようになる。
【００４０】
このような音声信号の流れを実現する際、切替手段３３特にＭＴＸ制御手段３４は各ＭＴＸを制御することにより、図４と図５に示すように、まず、ＭＴＸ１において、ｉｎ１（第一入力ポート）を主チャネルへ至るｏｕｔ１（第一出力ポート）へ接続し、予備チャネルへ至るｏｕｔ２（第二出力ポート）はｏｆｆとする（ステップＳ２）。
【００４１】
また、ＭＴＸ２では、エフェクタ７からのｉｎ（入力ポート）を、主チャネルへ戻るｏｕｔ１へ接続し、予備チャネルへ戻るｏｕｔ２はｏｆｆとする（ステップＳ２）。また、ＭＴＸ３では、主チャネルからのｉｎ１を、エフェクタ７へ至るｏｕｔへ接続する（ステップＳ２）。
【００４２】
一方、ＬＩＶＥスイッチがＢなら（ステップＳ１）予備チャネルを用いる場合であり、この場合について、スタジオのマイク（図左端）から放送出力（図右端）への音声信号の概略的な流れは、図６に示す太い破線矢印Ｄ６のようになり、また、エフェクタ７を含むインサーション系統回路の経由は、太い破線矢印Ｅ６のようになる。
【００４３】
この場合、より具体的には、主マイクＭＩＣ１又はバックアップマイクＢＫＵＰのいずれを使うかは、切替手段３３、特にＭＴＸ制御手段３４がＭＴＸ１を制御することにより切り替えるが（ステップＳ４，Ｓ６）、この切替内容はＭＯＤＥスイッチの状態による。
【００４４】
すなわち、ＭＯＤＥスイッチが１なら（図４のステップＳ３）、そのまま主マイクＭＩＣ１を使うので（図６）、ＭＴＸ制御手段３４は、ＭＴＸ１について、主チャネルへ至るｏｕｔ１をｏｆｆとし、主マイクＭＩＣ１の系統であるｉｎ１を、予備チャネルへ至るｏｕｔ２へ接続する（ステップＳ４）。
【００４５】
一方、ＭＯＤＥスイッチが２なら（ステップＳ３）、バックアップマイクＢＫＵＰへ切り替えるので（図７）、ＭＴＸ１については、主チャネルへ至るｏｕｔ１をｏｆｆとし、バックアップマイクＢＫＵＰの系統であるｉｎ２を、予備チャネルへ至るｏｕｔ２へ接続する（ステップＳ６）。
【００４６】
どちらのマイクを使う場合も、ＭＴＸ２とＭＴＸ３については同じであり（ステップＳ５）、ＭＴＸ２では、主チャネルへ至るｏｕｔ１はｏｆｆとし、エフェクタ７からのｉｎ（入力ポート）を予備チャネルへ至るｏｕｔ２へ接続する（ステップＳ５）。また、ＭＴＸ３では、予備チャネルからのｉｎ２を、エフェクタ７へ至るｏｕｔへ接続する（ステップＳ５）。
【００４７】
〔４．効果〕
以上のように、本実施形態では、バックアップ用チャネルとの間で切替選択だけでなく、設定反映手段３１により、パラメータ設定を双方のチャネルに対し予め常時反映させておくことにより、切替時の無音や音声急変などの不都合が回避でき、両チャネル間で手作業で設定調整を合わせるなどのオペレータの作業負担も効果的に軽減可能となる。
【００４８】
また、本実施形態では、ＭＴＸ制御手段３４により、ワンボタン操作など一つのチャネル切替スイッチ操作だけで、切替に関連する全ての系統に対する音声出力をＯＮ／ＯＦＦすることにより、熟練者でなくても瞬時切り替えのオペレーションが確実容易に実施可能となる。
【００４９】
さらに、本実施形態では、切替手段３３により、チャネルとともにインサーション系統も切り替えることにより、インサーションのために別途の切替え操作も不要となり、複雑な切替操作の誤りによる音質急変などの不都合も回避し、瞬時に正確な切り替えオペレーションが行える様になる。
【００５０】
加えて、本実施形態では、モード選択スイッチ１７及びモード選択受付手段３５により、バックアップチャネルへの切替と共にマイクもバックアップに切り替えるか否かも選択可能とすることにより、構成や目的などの事情に適合した自由な運用が実現容易となる。
【００５１】
〔５．他の実施形態〕
なお、本発明は、上記実施形態に限定されるものではなく、以下に例示するものやそれ以外の他の実施形態も含むものである。例えば、上記の例では、音声入力の経路をＭＴＸで切り替えたが、他に、個別のＭ１，Ｍ２，ＡＵＸの信号ごとのスイッチやフェーダなどで音量を変化させたり、フェーダの手前で分岐した系統についてＡＵＸでＯＮ／ＯＦＦを切り替えるなど、具体的な構成は自由に変更可能である。
【００５２】
また、モード選択スイッチは、複数の各操作パネルに個別に設ける代わりに、単一のスイッチを一箇所に設けて集中制御するようにしてもよい。また、バックアップマイク、モード選択スイッチ、モード選択受付手段は必須ではなく、省略も可能である。
【図面の簡単な説明】
【００５３】
【図１】本発明の実施形態の構成を示す図。
【図２】本発明の実施形態における操作パネルの構成を示す図。
【図３】本発明の実施形態における操作パネルと、制御部と、主チャネル並びに予備チャネルの対応関係を示す概念図。
【図４】本発明の実施形態における処理手順を示すフローチャート。
【図５】本発明の実施形態において、主チャネルを選択している状態を示す図。
【図６】本発明の実施形態において、予備チャネルを選択している状態を示す図。
【図７】本発明の実施形態において、予備チャネル選択状態でマイクもバックアップに切り替えている状態を示す図。
【図８】従来の音量調整装置の構成を例示する図。
【符号の説明】
【００５４】
１…操作パネル
３…制御部
５…オーディオミキサー音声処理部
７…エフェクタ
１３…パラメータ設定スイッチ群
１５…チャネル切替スイッチ
１７…モード選択スイッチ
３１…設定反映手段
３３…切替手段
３４…ＭＴＸ制御手段
３５…モード選択受付手段
ＭＩＣ１…主マイク
ＢＫＵＰ…バックアップマイク
ＭＴＸ…マトリックス・スイッチ回路
【図１】
2008244755.tif 000003
【図２】
2008244755.tif 000004
【図３】
2008244755.tif 000005
【図４】
2008244755.tif 000006
【図５】
2008244755.tif 000007
【図６】
2008244755.tif 000008
【図７】
2008244755.tif 000009
【図８】
2008244755.tif 000010